(57)【要約】【課題】海水サンプルに対して正確にその比重測定が行える自動水平比重計の提供。【解決手段】容器と浮動測量指示針を具え、容器が上端のハンドル部分と下部の測量室に分けられ、指示針が測量室外に枢接されると共に自由に揺動し、容器の側壁内に暗管が付設され、該ハンドル部分の上端に平衡吊懸点が設けられ、該平衡吊懸点が揺動可能なサポータとされ、浮動測量指示針中部に重心の偏ったウエイトが設けられている。本発明は重心の偏ったウエイトが回転自由に浮動測量指示針中部の円孔中に配置され、可動フックに揺動可能なサポータと重心の偏ったウエイトが組み合わされたことにより正確に比重計を絶対水平位置に確定でき、且つ生産製造過程で比重計の原始設定を容易に正確に行える。【選択図】　　　　図１
2004125772.tif 000002
【特許請求の範囲】
【請求項１】
容器と浮動測量指示針を具え、容器が上端のハンドル部分と下部の測量室に分けられ、指示針が測量室外に枢接されると共に自由に揺動し、容器の側壁内に暗管が付設された自動水平比重計において、比重計の上部ハンドル部分の上端に平衡吊懸点が設けられたことを特徴とする、自動水平比重計。
【請求項２】
請求項１に記載の自動水平比重計において、平衡吊懸点に揺動可能なサポータが連接されたことを特徴とする、自動水平比重計。
【請求項３】
請求項２に記載の自動水平比重計において、揺動可能なサポータに握持点が設けられたことを特徴とする、自動水平比重計。
【請求項４】
請求項２に記載の自動水平比重計において、揺動可能なサポータにフックが設けられたことを特徴とする、自動水平比重計。
【請求項５】
請求項４に記載の自動水平比重計において、フックが逆Ｕ形の半円フックとされたことを特徴とする、自動水平比重計。
【請求項６】
請求項４に記載の自動水平比重計において、フックが揺動可能なフックとされたことを特徴とする、自動水平比重計。
【請求項７】
請求項１に記載の自動水平比重計において、浮動測量指示針の中部に重心の偏ったウエイトが設けられたことを特徴とする、自動水平比重計。
【請求項８】
請求項７に記載の自動水平比重計において、重心の偏ったウエイトが回転自在に浮動測量指示針中部の円孔中に配置されたことを特徴とする、自動水平比重計。
【請求項９】
請求項７又は請求項８に記載の自動水平比重計において、重心の偏ったウエイトが、辺縁の局部が突出する円形片状とされ、突出する局部が浮動測量指示針中部の円孔より突出することを特徴とする、自動水平比重計。
【請求項１０】
請求項７又は請求項８に記載の自動水平比重計において、重心の偏ったウエイトが、質量密度の比較的大きな局部辺縁部分を有することを特徴とする、自動水平比重計。
【請求項１１】
請求項１に記載の自動水平比重計において、暗管の三つの開口がそれぞれ容器の下方、測量室外の液面より高い位置、及び測量室の底部に設けられたことを特徴とする、自動水平比重計。
【発明の詳細な説明】
【０００１】
【発明の属する技術分野】
本発明は一種の海水比重を測定するための測定器具に係り、特に海水サンプルに対する正確な比重の測定が行える比重計に関する。
【０００２】
【従来の技術】
現在、海水比重計の応用中、閉じた環境の海水魚用水槽での海水魚の養殖に対して、その海水比重の調節は直接海水魚の生存に影響を与え、また海水塩を運用して海水比重を調節する時には、海水比重測定器を用いて海水比重を測定し、並びに適当な比重に調節することが必要で、それにより海水魚の生存に有利とすることができる。常用されている海水比重測定器は、透明で扁平なケース内に、ピンで浮動揺動する扇形の指標が設けられ、この指標のピン位置近くの下縁にウエイトが設けられ、且つ前端に尖ったポインタが形成され、該ケースの前側面に指標のポインタに対応する比重目盛りが刻まれ、並びに透明ケース内に暗管が設けられ、該暗管の底端に海水を進入させるための開口が設けられ、さらに暗管上端の測量室液面より高い位置にも開口が設けられて海水を上から下にケースの測量室内に充填するのに供され、指標の浮動するポインタの指向する目盛りにより海水比重を読み取ることができる（例えば特許文献１及び２参照。）。このような従来の海水比重計は、海水サンプルをとる時に手指を濡らさずにすみ、また一定程度まで海水比重測定の正確度を高めることができる。しかし、使用の過程で、手で握持しても或いは平面上に置くか或いは吸盤で立面に固定しても、いかにして正確に比重計を絶対水平位置に置くかという問題があり、もし比重計を水平偏差のある状態で読み取ると、読み取り数値に誤差が出現し、且つ、比重計生産製造過程での原始設定が比較的困難である。
【０００３】
【発明が解決しようとする課題】
本発明は比重計を自動的に正確に絶対水平位置に確定できる自動水平比重計を提供することを目的とする。
【０００４】
【特許文献１】
中国特許第９６２２９１０１．６号明細書
【特許文献２】
中国特許第０１２２９３２４．５号明細書
【０００５】
【課題を解決するための手段】
請求項１の発明は、容器と浮動測量指示針を具え、容器が上端のハンドル部分と下部の測量室に分けられ、指示針が測量室外に枢接されると共に自由に揺動し、容器の側壁内に暗管が付設された自動水平比重計において、比重計の上部ハンドル部分の上端に平衡吊懸点が設けられたことを特徴とする、自動水平比重計としている。
請求項２の発明は、請求項１に記載の自動水平比重計において、平衡吊懸点に揺動可能なサポータが連接されたことを特徴とする、自動水平比重計としている。
請求項３の発明は、請求項２に記載の自動水平比重計において、揺動可能なサポータに握持点が設けられたことを特徴とする、自動水平比重計としている。
請求項４の発明は、請求項２に記載の自動水平比重計において、揺動可能なサポータにフックが設けられたことを特徴とする、自動水平比重計としている。
請求項５の発明は、請求項４に記載の自動水平比重計において、フックが逆Ｕ形の半円フックとされたことを特徴とする、自動水平比重計としている。
請求項６の発明は、請求項４に記載の自動水平比重計において、フックが揺動可能なフックとされたことを特徴とする、自動水平比重計としている。
請求項７の発明は、請求項１に記載の自動水平比重計において、浮動測量指示針の中部に重心の偏ったウエイトが設けられたことを特徴とする、自動水平比重計としている。
請求項８の発明は、請求項７に記載の自動水平比重計において、重心の偏ったウエイトが回転自在に浮動測量指示針中部の円孔中に配置されたことを特徴とする、自動水平比重計としている。
請求項９の発明は、請求項７又は請求項８に記載の自動水平比重計において、重心の偏ったウエイトが、辺縁の局部が突出する円形片状とされ、突出する局部が浮動測量指示針中部の円孔より突出することを特徴とする、自動水平比重計としている。
請求項１０の発明は、請求項７又は請求項８に記載の自動水平比重計において、重心の偏ったウエイトが、質量密度の比較的大きな局部辺縁部分を有することを特徴とする、自動水平比重計としている。
請求項１１の発明は、請求項１に記載の自動水平比重計において、暗管の三つの開口がそれぞれ容器の下方、測量室外の液面より高い位置、及び測量室の底部に設けられたことを特徴とする、自動水平比重計としている。
【０００６】
【発明の実施の形態】
本発明の自動水平比重計は、容器と浮動測量指示針を具え、容器が上端のハンドル部分と下部の測量室に分けられ、指示針が測量室外に枢接されると共に自由に揺動し、容器の側壁内に暗管が付設され、この比重計の上部ハンドル部分の上端に平衡吊懸点が設けられている。
【０００７】
本発明の自動水平比重計の平衡吊懸点には揺動可能なサポータが連接され、該揺動可能なサポータに握持点とフックが設けられている。
【０００８】
本発明の自動水平比重計の浮動測量指示針中部に重心の偏ったウエイトが設けられ、この重心の偏ったウエイトが回転自在に浮動測量指示針中部の円孔中に配置され、該重心の偏ったウエイトが辺縁の局部が突出する円形片状とされ、突出する局部が浮動測量指示針中部の円孔より突出する。
【０００９】
本発明の自動水平比重計の暗管の三つの開口はそれぞれ容器の下方、測量室の液面より高い位置、及び測量室の底部に設けられている。
【００１０】
本発明の自動水平比重計は従来の技術と較べ、可動フックに揺動自在の揺動可能なサポータ及び重心の偏ったウエイトが組み合わされたことにより、正確に比重計を絶対水平位置に置くことができ、且つ生産製造過程で比重計の指標の原始設定を容易且つ正確に行うことができる。
【００１１】
【実施例】
図１に示されるように、本発明の自動水平比重計は、容器１と浮動測量指示針８を具え、容器１が上端のハンドル部分１２と下部の測量室２に分けられ、指示針８が測量室２外の容器１中に枢接されると共に自由に揺動し、容器１の側壁内に暗管７が付設され、該暗管７の三つの開口１３、６、１１はそれぞれ容器の下方、測量室外の液面より高い位置、及び測量室の底部に設けられている。比重計の上部のハンドル部分１２の上端に平衡吊懸点が設けられ、該平衡吊懸点に揺動可能なサポータ４が連接され、該揺動可能なサポータ４に握持点３とフック５が設けられ、該フックが逆Ｕ形を呈する半円フックとされるか或いは揺動可能なフックとされる。
【００１２】
本発明の自動水平比重計の浮動測量指示針８の中部には重心の偏ったウエイト１０が設けられ、該重心の偏ったウエイト１０は回転自在に浮動測量指示針８中部の円孔９内に配置されている。該重心の偏ったウエイト１０は辺縁の局部が突出する円形片状とされ（図３参照）、突出する局部１０−１が浮動測量指示針８中部の円孔９より突出し、該重心の偏ったウエイト１０は円孔９内で自由に回転し、該重心の偏ったウエイト１０の回転を利用し、重心の偏ったウエイト１０の浮動測量指示針８中での実際の重心位置を調節でき、これにより正確な数値を読み取ることができる。上述の重心の偏ったウエイト１０は質量密度の比較的大きい局部辺縁部分を有するものに形成可能で、これにより実際重心位置を調節する効果を獲得できる。
【００１３】
本発明の自動水平比重計のサポータ４は弾性握持点３を具え、液体サンプルを取って測定する時に軽く握持点３を握れば、容器に進入する液体の角度と深さを固定でき、サンプリングの正確性を保証でき、サンプリング完了後に、握持する握力を軽減するか或いはサポータ４を固定物体に掛ければ、サポータ４が揺動作用を発揮し、容器１自身の重量により絶対水平を得られ、測定の正確度を保証できる。海水を容器底部の開口１１、１３より測量室２に進入させる時、海水は逆Ｕ形の暗管７を通り、下から上、さらに下向きに流入し、測量室２の底部よりゆっくりと測量室に注入され、これにより水面が浮いた油やタンパク質気泡等の汚染物を吸い込んで浮動測量指示針８の浮力に影響が生じるのを防止することができ、比重計の正確性と耐用度を確保できる。サンプリング完成後に本比重計が水面より離される時、暗管の第２の開口が破真空作用を発生し、サイホン効果によりサンプル水が測量室２より吸い出されるのを防止できる。
【００１４】
【発明の効果】
本発明の自動水平比重計は、重心の偏ったウエイトが回転自由に浮動測量指示針中部の円孔中に配置され、可動フックに揺動可能なサポータと重心の偏ったウエイトが組み合わされたことにより正確に比重計を絶対水平位置に確定でき、且つ生産製造過程で比重計の原始設定を容易に正確に行える。
【図面の簡単な説明】
【図１】本発明の構造表示図である。
【図２】本発明の揺動可能なサポータ４の構造表示図である。
【図３】本発明の重心の偏ったウエイト１０の構造表示図である。
【図４】本発明の重心の偏ったウエイト１０の、浮動測量指示針８中部の円孔９中での異なる位置の状態表示図である。
【符号の説明】
１　容器
２　測量室
３　握持点
４　揺動可能なサポータ
５　フック
７　暗管
８　浮動測量指示針
９　円孔
１０　ウエイト
１０−１　突出する局部
１２　ハンドル部分
１３、６、１１　開口
【図１】
2004125772.tif 000003
【図２】
2004125772.tif 000004
【図３】
2004125772.tif 000005
【図４】
2004125772.tif 000006